(57)【要約】【課題】フラットファイルにファイル用紙を綴じる場合に、フラットバーはパンチ穴を開けることができないのを可能とする。【解決手段】パンチ機能付フラットファイルは、フラットファイル台紙に鳥り足を通して、フラットバーでファイル用紙を押さえてコマを移動して鳥足を押さえて綴じるフラットバーと、そのフラットバーには前記鳥足を通す一対の穴３を設けて一対のコマ２を取り付けてなるフラットファイルのフラットバー１において、フラットバー１のコマの端に弾力性を有する弾力部７を設け、弾力部にパンチ用刃部５を設け、その対辺にはフラットバー１の延長部に支持台８を設けて前記刃部５を受けて当たりを和らげる逃げ穴６を支持台に設けたパンチ器具であって、フラットバー本来のファイル用紙を押さえてコマを移動して鳥足を押さえる機能と共にファイル用紙にパンチ穴を開けるためのパンチ機能を備える効果がある。【選択図】図３
2008238496.tif 000002
【特許請求の範囲】
【請求項１】
フラットファイル台紙に鳥り足を通して、フラットバーでファイル用紙を押さえてコマを移動して鳥足を押さえて綴じるフラットバーと、そのフラットバーには前記鳥足を通す一対の穴を設けて一対のコマを取り付けてなるフラットファイルのフラットバーにおいて、フラットバーのコマの端に弾力性を有する弾力部を設け、弾力部にパンチ用刃部を設け、その対辺にはフラットバーの延長部に支持台を設けて前記刃部を受けて刃の当たりを和らげる逃げ穴を支持台に設けたことを特徴とするパンチ機能付フラットファイル。
【請求項２】
請求項１に記載のフラットファイル台紙に鳥り足を通して、フラットバーでファイル用紙を押さえてコマを移動して鳥足を押さえて綴じるフラットバーと、そのフラットバーには前記鳥足を通す一対の穴を設けて一対のコマを取り付けてなるフラットファイルのフラットバーにおいて、フラットバーの中央部には軸を設けて軸を中心にしてフラットバーを折り曲げ可能にし、軸の左右のフラットバーの両コマの端に弾力性を有する弾力部を設け、弾力部にパンチ用刃部を設け、その対辺にはフラットバーの延長部に支持台を設けて前記刃部を受けて刃の当たりを和らげる逃げ穴を支持台に設けたことを特徴とする２穴パンチ機能付フラットファイル。
【請求項３】
請求項１に記載のファイル用台紙に鳥り足を通して、フラットバーでファイル用紙を押さえてコマを移動して鳥足を押さえて綴じるフラットバーと、そのフラットバーには前記鳥足を通す一対の穴を設けて一対のコマを取り付けてなるフラットファイルのフラットバーにおいて、フラットバーには２軸を設けて軸を中心にしてフラットバーを折り曲げ可能にし、該２軸の左右のフラットバーの両コマの端に弾力性を有する弾力部を設け、弾力部にパンチ用刃部を設け、その対辺にはフラットバーの延長部に支持台を設けて前記刃部を受けて刃の当たりを和らげる逃げ穴を支持台に設けたことを特徴とする２穴パンチ機能付フラットファイル。
【請求項４】
請求項１乃至３のいずれかに記載のファイル台紙に鳥り足を通して、フラットバーでファイル用紙を押さえてコマを移動して鳥足を押さえて綴じるフラットバーと、そのフラットバーには前記鳥足を通す一対の穴を設けて一対のコマを取り付けてなるフラットファイルにおいて、フラットバーのコマの端に弾力性を有する弾力部を設け、弾力部にパンチ用刃部を設け、刃部は円筒形であり、円筒形の先端部に三角形の切り込みを設けたことを特徴とするパンチ機能付フラットファイル。
【請求項５】
請求項１乃至３のいずれかに記載のファイル台紙に鳥り足を通して、フラットバーでファイル用紙を押さえてコマを移動して鳥足を押さえて綴じるフラットバーと、そのフラットバーには前記鳥足を通す一対の穴を設けて一対のコマを取り付けてなるフラットファイルにおいて、フラットバーのコマの端に弾力性を有する弾力部を設け、弾力部にパンチ用刃部を設け、刃部は円筒形であり、円筒形の先端部に三角形の切り込みを設け、更に該円筒形の刃部の根元部の周囲にはわずかなテーパーを設けて刃先端部に至ってやや細くした刃部であることを特徴とするパンチ機能付フラットファイル。
【発明の詳細な説明】
【技術分野】
【０００１】
本発明は、会議場等の机上で重たいパンチがなくてもファイル用紙に２穴のパンチ穴を開けて綴じることが容易なフラットファイルに関するものである。
【背景技術】
【０００２】
ファイル綴じ用穴あけ装置の中で、パンチ（ｐｕｎｃｈ）は、ファイル書類に綴じ穴を空けることを目的とする事務用品として実用に供されている。
実用のパンチは、サイズにより重いものもあるので、会議場に持ち運びするには不便である。又、フラットファイルは、書類を綴じるために使用されるものであるが、書類に穴を空ける装置を会議場に持ち歩いてなければ現場で穴を開けることができず、書類を綴じることができない。
【０００３】
しかし、フラットファイルにパンチ機能を備えた穴あけ器具を取り付けてフラットファイルをパンチ穴開けにも供するようにすれば、フラットファイルとは別にパンチを持ち歩いて現場に備えていなくても、ファイル書類を綴じることが可能である。
従来のフラットファイルは、書類にパンチで穴を開けて、そのパンチ穴に鳥足を通してフラットバーにも通してコマを移動してその鳥足を押さえて綴じるだけであった。
【０００４】
フラットファイルに書類を綴じる用途において、パンチを持ち歩くのでは不便であるので、ファイル用紙をフラットファイルに綴じる操作性に関して大きな障害である。具体的には、書類を持ち帰ってパンチで穴を開けるとか、フラットファイルとは別にパンチを一緒に用意しなければならないなどの問題があった。
【０００５】
この操作性の不便を解消するために、改善策として、フラットファイルのフラットバーにファイル用紙綴じ穴用の穴開け器（パンチ器具）を設けて、フラットバーが穴あけ器として利用が可能なものにすると共に本来のフラットバーとしての機能も備えるものにする。
【特許文献１】特開２００６−１９２６８９号公報
【特許文献２】特開２００２−０６７５６３号公報
【特許文献３】特開２００１−２１３０８０号公報
【特許文献４】特開２０００−３４３８６５号公報
【特許文献５】特開２０００−３５４９９９号公報
【発明の開示】
【発明が解決しようとする課題】
【０００６】
解決しようとする問題点は、フラットファイルにファイル用紙を綴じる場合に、従来のフラットバーではファイル用紙にパンチ穴を開けることができない点である。
【課題を解決するための手段】
【０００７】
本発明は、ファイル用紙をフラットファイルに綴じる場合に、フラットファイルにパンチ穴を開ける機能を持たせてフラットバーでパンチ穴を開けることができるようにする。この目的のため、フラットバーの端に弾力部とこれに向かい合わせて支持台を設けて、弾力部にパンチ穴を開ける鋭い刃部を設け、支持台にその鋭い刃を受けて刃の当たりを逃がす機能を有する穴を設けて、パンチでファイル用紙に穴を開ける場合にファイルに綴じる用紙の端を入れる前記弾力部と支持台の間に止点を設けたことを最も主要な特徴とする。
【発明の効果】
【０００８】
本発明のパンチ機能付フラットファイルは、フラットファイルのフラットバーを改良し、ファイル用紙に２穴の綴じ穴を開けるパンチ器具としての使用ができると共にファイル用紙の綴じ穴に鳥足を差し入れてフラットバーに取り付けたコマを移動して綴じるフラットバーとしても使い分けられる利点がある。
【発明を実施するための最良の形態】
【０００９】
フラットファイルのフラットバーの一部をパンチ機能を備える装置に改良して書類にパンチ穴を開けるという目的を、最小の部品点数でパンチ器具としてもフラットファイルを構成して、フラットファイルに書類を綴じるためのフラットバーの機能を損なわずにフラットバーにパンチ機能を有するフラットファイルを実現した。
【実施例１】
【００１０】
図１〜３は、パンチ機能付きフラットファイルの実施例１の実施態様を示す説明図である。実施例１は、フラットバーのパンチ機能が１穴である。図１はフラットファイルのフラットバーの平面図、図２はフラットバーの正面図、図３はフラットバーのコマを移動してフラットファイルの鳥足を押さえたフラットバーの断面図である。
図４、５は、パンチ機能付きフラットファイルの実施例１，２，３のフラットバーの一部パンチ器具のＢ−Ｂ‘線で示す部分拡大断面図である。
図６は、パンチ機能付きフラットファイルの実施例２の実施態様を示す説明図である。実施例２は、パンチ機能が２穴の場合である。図７は、パンチ機能付きフラットファイルの実施例３の実施態様を示す説明図である。  
実施例３は、パンチ機能が２穴の場合である。１は、フラットバー、２は、コマ、３は、フラットファイルに付ける鳥足（綴じひも、以下同じ。）の通し穴、４は、  ファイル用紙の止点、  ５は、弾力部に設けた刃部、  ６は、刃の逃げ穴、７は、弾力部、  ８は、  逃げ穴を設けた支持台、  ９は、軸  １０は、ファイル用紙、１１は、フラットファイル、  １２は、鳥足である。ＡＡ‘は、刃部からファイル用紙の止点まで約１８ｍｍである。
【００１１】
図１〜３のパンチ機能付フラットファイルの実施例１は、ファイル用台紙に鳥り足を通して、ファイル用紙１０を押さえてコマ２を移動するフラットバー１と、そのフラットバーには前記鳥足を通す一対の穴３を設けて鳥足を止める一対のコマ２を取り付けてなるフラットファイルのフラットバー１において、フラットバー１にコマ２を被せて移動可能に取り付けて鳥足１２を止めるコマ２の端に弾力性を有する弾力部７を設け、弾力部にパンチ用刃部５を設け、その対辺にはフラットバー１に支持台８を設けて前記刃５の当たりを受けて嵌める逃げ穴６を支持台に設けたパンチ器具である。
【００１２】
本発明はフラットバー１にこのようなパンチ器具を設けたので、フラットバー１のファイル用紙の止点４まで書類を入れて、弾力部７を押さえれば刃５がファイル用紙に当たり穴を開けることができる。このフラットバー１に設けたパンチ器具によりフラットバーはパンチ機能とフラットバー本来の書類を押さえてコマ２を移動して鳥足を止める効果がある。
【００１３】
図４、５は、フラットバーのパンチ器具のＢ−Ｂ‘線で示された部分拡大断面図である。フラットファイル用台紙１１に鳥り足１２を通して、鳥足をフラットバーに開けた穴に通してファイル用紙１０を押さえ、コマ２を移動するためのフラットバー１と、そのフラットバー１には前記鳥足を通す一対の穴３を設けて一対のコマ２を取り付けてなるフラットファイルのフラットバーにおいて、フラットバーのコマ２にはその端に弾力性を有する弾力部７を設け、弾力部７にパンチ用刃部５を設け、刃部５の対辺に、フラットバー１の延長部分である支持台８には刃部を受けて当たりを和らげる逃げ穴６を設けたものである。刃部５は円筒形であり、円筒形の先端部に三角形の切り込みを設けたことにより、弾力部７と支持台８との間に入れたファイル用紙にパンチ穴を開けやすくすると共に刃部の三角形の切り込みによって刃先の強度を保持して刃こぼれの防止効果がある。
【００１４】
フラットバー１に被せて移動可能に取り付けたコマ２には端に弾力性を有する弾力部７を設け、弾力部７にパンチ用刃部５を設け、刃部５は円筒形であり、円筒形の先端部に三角形の切り込みを設け、更に該円筒形の刃部の根元部の周囲にはわずかなテーパーを設けて刃先端部に至って刃はやや細くしたことにより刃先の強度を維持すると共に刃先の当たりを和らげて逃げ穴６に入りやすくする効果がある。
【実施例２】
【００１５】
図６の実施例２は２穴パンチ機能付フラットファイルである。これは、図３を参照して説明すればフラットファイル台紙１１に鳥り足１２を通して、ファイル用紙１０のパンチ穴に鳥足を通して、コマ２を移動してフラットバー１でファイル用紙を押さえる。そのフラットバー１には前記鳥足を通す一対の穴３を設けて、更に一対のコマ２を取り付けてなるフラットファイルのフラットバー１において、フラットバー１の中央部には軸９を設けて軸９の左右のフラットバーの両端に弾力性を有する弾力部７を設け、弾力部７にパンチ用刃部５を設け、その対辺にはフラットバーの延長部に支持台８を設けて前記刃部を受けて当たりを和らげる逃げ穴６を支持台に設けたパンチ器具である。
【００１６】
このようなフラットバー１の中央部に軸９を設け、フラットバーの左右にパンチ器具を設けたので、フラットバー１は軸９によって折り曲げて、２穴の左右の間隔を一定にするストッパーを設けて、その位置でファイル用紙に一定間隔で穴を開けることができる。ファイル用紙の止点４までファイル用紙を弾力部７と支持台８との間に入れて、弾力部７を押さえれば刃部５がファイル用紙に一定間隔で２穴を開けることができる。このフラットバー１に設けた左右のパンチ器具により、パンチ機能とフラットバー本来の書類を押さえてコマ２の移動で鳥足を止める効果がある。
【実施例３】
【００１７】
図７の実施例３は、２穴パンチ機能付フラットファイルである。これは、図３を参照して説明すればフラットファイル台紙１１に鳥り足１２を通して、鳥足をファイル用紙１０のパンチ穴に通しコマ２を移動するフラットバー１とパンチ器具を備える。そのフラットバー１には前記鳥足を通す一対の穴３を設けて、更に一対のコマ２を被せて移動可能に取り付けてなるフラットファイルのフラットバー１において、フラットバー１の２箇所に軸９ａ，９ｂを設けて、軸を中心に折れ曲がるように構成し、軸９ａの左側と軸９ｂの右側のフラットバーのコマに弾力性を有する弾力部７を設け、弾力部７にパンチ用刃部５を設け、その対辺にはフラットバー１の延長部に支持台８を設けて前記刃部を受けて当たりを和らげる逃げ穴６を支持台に設けたパンチ器具である。
【００１８】
このようなフラットバー１に二つの軸９ａ，ｂを設けて、フラットバーの左右にパンチ器具を設けたので、フラットバー１に取付けた軸を中心にして、フラットバー１を折り曲げて左右の穴の間隔を一定にするストッパーを設けることで、ファイル用紙に開けるパンチ穴の間隔を一定にすることができる。ファイル用紙の止点４までファイル用紙を入れて、弾力部７を押さえれば刃部５がファイル用紙に２穴を一定間隔で開けることができる。このフラットバー１の左右のパンチ器具によりフラットバーはパンチ機能とフラットバー本来の書類を押さえてコマ２を移動して鳥足を止める効果がある。
【産業上の利用可能性】
【００１９】
フラットバーに取付けたパンチ器具を用いて机上で容易にファイル用紙に穴あけができ、フラットファイルに書類を手軽に綴じる用途に適用できる。
フラットファイルは、規格に基づいてパンチ穴の大きさや、２穴の間隔を一定に製作される。紙及びフラットバーは性分解性樹脂を材料に使用することにより分別収集の必要なく使用できる。
【図面の簡単な説明】
【００２０】
【図１】パンチ機能付きフラットファイルのフラットバーの平面図である。（実施例１  １穴の場合）
【図２】パンチ機能付きフラットファイルのフラットバーの正面図である。（実施例１  １穴の場合）
【図３】パンチ機能付きフラットファイルの実施方法を示す説明図において、フラットバーのコマを移動してフラットバーを鳥足に付けて使用している状態を示す断面図である。（実施例１  １穴の場合）
【図４】パンチ機能付きフラットファイルの実施方法を示す説明図において、フラットバーの一部パンチ器具のＢ−Ｂ’部分拡大断面図である。（パンチ器具は、実施例１，２，３共通構造である。）
【図５】パンチ機能付きフラットファイルの実施方法を示す説明図において、フラットバーの一部パンチ器具の拡大断面図である。
【図６】パンチ機能付きフラットファイルのフラットバーの平面図である。（実施例２  ２穴の場合）
【図７】パンチ機能付きフラットファイルのフラットバーの平面図である。（実施例３  ２穴の場合）
【符号の説明】
【００２１】
１    フラットバー
２    コマ
３    鳥足通し穴
４    止点
５    刃
６    逃げ穴
７    弾力部
８    支持台
９，９ａ，９ｂ    軸
１０    ファイル用紙
１１    フラットファイル台紙
１２    鳥足
【図１】
2008238496.tif 000003
【図２】
2008238496.tif 000004
【図３】
2008238496.tif 000005
【図４】
2008238496.tif 000006
【図５】
2008238496.tif 000007
【図６】
2008238496.tif 000008
【図７】
2008238496.tif 000009